(57)【要約】【課題】部屋の設置スペースに合わせて伸縮できる家具を提供する。しかも、その伸縮構造を部品点数が少なく、容易に形成でき、かつ、家具の外面に表れないようにして家具の見栄えをよくする。【解決手段】左右に分離して配置した台座３，４と、該左右の台座３，４にわたり、該両台座と重なりをもって載置した本体２とからなり、前記両台座３，４と本体２とを相対的に左右方向に摺動可能にする。台座３，４と本体２との間に、これらを相対的に左右方向に案内する案内手段６ａ，２０ａ，２１ａを設ける。【選択図】図１
2007301279.tif 000002
【特許請求の範囲】
【請求項１】
左右に分離して配置した台座と、該左右の台座にわたり、該両台座と重なりをもって載置した本体とからなり、前記両台座と本体とを相対的に左右方向に摺動可能にしたことを特徴とする家具。
【請求項２】
前記台座と本体との間に、これらを相対的に左右方向に案内する案内手段を設けたことを特徴とする請求項１記載の家具。
【請求項３】
前記案内手段を台座と本体のいずれか一方に左右方向の案内溝を形成し、他方に案内溝に摺動可能に嵌入する案内部材を設けて形成したことを特徴とする請求項２記載の家具。
【請求項４】
前記台座と本体に、これらの左右方向の相対的な移動量を規制する規制手段を設けたことを特徴とする請求項１乃至３のいずれか１項に記載の家具。
【請求項５】
前記台座の下面に移動手段と、床面と接離する定着手段を設けたことを特徴とする請求項１乃至４のいずれか１項に記載の家具。
【請求項６】
前記台座を、本体が載置する底板と、該底板の左右方向の外側に立設した側板とで形成したことを特徴とする請求項１乃至５のいずれか１項に記載の家具。
【請求項７】
前記本体を箱形に形成したことを特徴とする請求項１乃至６のいずれか１項に記載の家具。
【発明の詳細な説明】
【技術分野】
【０００１】
本発明は家具に関するもので、より詳しくは伸縮可能な家具に関する。
【背景技術】
【０００２】
通常、家具を部屋に配置する場合、部屋の設置スペースに家具が収まるか否かを考慮する必要があり、特に複数の家具を並べて置く場合には、家具間や壁との間に隙間が生じ無駄なスペースが生じることがある。そのため、部屋の大きさや、他の家具との関係によって設置できる間口を決め、この間口に合う寸法の家具を選び配置しなければならない。
【０００３】
また、一度家具を設置した後に、その家具の配置を変えたり、他の家具を入れ替えようとしても、既存の各家具との配置の兼ね合いによって設置スペースが確保できず、配置変えなどができない場合もある。
【０００４】
そのため、従来、左右方向の寸法（間口寸法）を変更できるようにして、前記の問題を解決する収納家具として、隣り合う箱体と、これらを連結する連結天板部と、連結底板部と、背板とを備え、両箱体と、連結天板部及び、連結底板部及び、背板との摺動を案内する案内部を設けて、間口方向に伸縮可能とした収納家具が知られている（特許文献１参照）。
【特許文献１】実開平５−４８７３３号公報
【発明の開示】
【発明が解決しようとする課題】
【０００５】
しかしながら、前記のような伸縮可能な収納家具においては、伸縮機能を構成する部材が多く、かつ、構造、加工が複雑であるため、高価になる他、その構造が見栄を悪くしていた。
【０００６】
また、前記従来の家具とは別に例えば天板を有し、この天板の上面に物を載置するような家具、例えばテレビ台などの家具では、天板の上面に設置するものの寸法、例えば、テレビの横幅を考慮して、その寸法に合った家具を決めなければならないが、設置後に、載置する物を変更する場合、例えば、天板の左右寸法よりも横幅が大きいテレビに買い換えした場合には、そのテレビの横幅に合ったテレビ台を購入しなければならなかった。
【０００７】
そこで本発明は、間口寸法を伸縮でき、かつ、その伸縮機構の構成部品を少なくし、単純な構造で意匠的にも優れた家具を提供することを目的とするものである。
【課題を解決するための手段】
【０００８】
前記の課題を解決するために、請求項１記載の発明は、左右に分離して配置した台座と、該左右の台座にわたり、該両台座と重なりをもって載置した本体とからなり、前記両台座と本体とを相対的に左右方向に摺動可能にしたことを特徴とするものである。
【０００９】
請求項２記載の発明は、請求項１記載の発明において、前記台座と本体との間に、これらを相対的に左右方向に案内する案内手段を設けたことを特徴とするものである。
【００１０】
請求項３記載の発明は、請求項２記載の発明において、前記案内手段を台座と本体のいずれか一方に左右方向の案内溝を形成し、他方に案内溝に摺動可能に嵌入する案内部材を設けて形成したことを特徴とするものである。
【００１１】
請求項４記載の発明は、請求項１乃至３のいずれか１項に記載の発明において、前記台座と本体に、これらの左右方向の相対的な移動量を規制する規制手段を設けたことを特徴とするものである。
【００１２】
請求項５記載の発明は、請求項１乃至４のいずれか１項に記載の発明において、前記台座の下面に移動手段と、床面と接離する定着手段を設けたことを特徴とするものである。
【００１３】
請求項６記載の発明は、請求項１乃至５のいずれか１項に記載の発明において、前記台座を、本体が載置する底板と、該底板の左右方向の外側に立設した側板とで形成したことを特徴とするものである。
【００１４】
請求項７記載の発明は、請求項１乃至６のいずれか１項に記載の発明において、前記本体を箱形に形成したことを特徴とするものである。
【発明の効果】
【００１５】
本発明によれば、本体を両台座に載置し、両台座と本体とを相対的に左右方向に摺動可能にしたことから、家具の左右幅の寸法を任意の寸法に伸縮させることができる。したがって、部屋の設置スペースに合わせて家具の幅を設定できるとともに、本体の上部に載置される物に合わせてこの家具を伸縮して対応することができる。
【００１６】
例えばテレビを置く場合には、そのテレビの左右幅に合わせて、本発明の家具の寸法を合わせることができ、例えばテレビを買い換えた場合でも、テレビ台を買い換えることなくテレビの寸法に合わせることができる。更に、本体を両台座に摺動可能に載置したので、その摺動機構を簡易に構成できる。
【００１７】
更に、請求項２記載のように、台座と本体との間に案内手段を設けることにより、伸縮に係る構造材や加工等が家具の表面に現れないようにして家具の見栄えを良くすることができる。
【００１８】
更に、請求項３記載のように、案内手段を、案内溝に案内部材を摺動可能に嵌入して形成することにより、案内手段を部品点数を少なくして簡易な構造で、安価に形成できる。
【００１９】
更に、請求項４記載のように、移動量を規制する規制手段を設けることにより、本体が台座から脱落することを防止できる。
【００２０】
更に、請求項５記載のように、台座の下面に移動手段を設けることにより、台座を床面上で容易に移動でき、かつ、その移動位置を定着手段で保持することができる。
【００２１】
更に、請求項６記載のように、台座の底板の外側に側板を立設したことにより、本体の側面と側板の内面とで収納空間部が形成され、物の収納に適する空間を形成できる。
【００２２】
更に、請求項７記載のように、本体を箱形に形成することにより、この本体の剛性を高めることができる。通常、家具の中央部にテレビなどの重量物が載置されるため、本発明のように、中央部に本体を配置し、この本体の剛性を高めることにより、前記の重量物の載置に対応できる。
【発明を実施するための最良の形態】
【００２３】
本発明を実施するための最良の形態を図に示す実施例に基づいて説明する。
図１に示すように、本発明の実施例である家具１は、本体２と、該本体２の下部に設置されて本体２を載置する左右に分離された一対（２個）の台座３，４により構成されている。なお、左右方向とは、家具１を正面から見た場合の左右方向であり、図２に示すＡ−Ｂ方向である。
【００２４】
本体２は、実施例では、図１に示すように、左右方向（間口方向）に長い箱形に形成され、上部の台板（天板）５と、下部の底板６と、左右の側板７，８と、背面の背板９と、前面の蓋板１０とによって収納箱１１に形成されている。また、前記の蓋板１０は、その下側を支点として、前後方向に起倒して開閉可能に形成されている。
【００２５】
底板６には、図７に示すように、本体２の左右方向に長い案内手段である案内板６ａがねじによって固着されている。該案内板６ａは、図７に示すように、底板６の前後方向における中央より若干前方寄りに位置して配置され、かつ、該案内板６ａの左右方向の中心が本体２の左右方向における中央に位置するように配置され、該中央から左右方向に所定の等しい長さに形成されている。更に、該案内板６ａの背丈寸法は、本体２の下部に配置される台座３，４における底板２０，２１の厚みと略同寸法に形成され、底板６から下方に突出して、後述する案内溝２０ａ，２１ａに摺動可能に遊嵌されるようになっている。
【００２６】
また、底板６には図７に示すように、本体２の左右方向（間口方向）に長い係止金具用溝（案内溝）６ｂが刻設されている。該係止金具用溝６ｂは、前記案内板６ａと背板９との間において、底板６の後方寄りに位置し、かつ、左右の側板７，８の近傍まで刻設され、この両端部はストッパー６ｄとなっている。この係止金具用溝６ｂには後述する台座３，４における底板２０，２１の上面に突設した係止金具（案内部材）２６ａ，２６ｂ，２７ａ，２７ｂが摺動可能に挿入されるようになっている。
【００２７】
更に、底板６の裏面（底面）には摺動手段であるフェルト６ｃが点在的に貼られ、該フェルト６ｃを介して本体２の底板６を台座３，４の底板２０，２１上に載置し、底板６と底板２０，２１との接触摩擦を減らして、本体２と台座３，４との摺動が滑らかに行えるようになっている。該フェルト６ｃは、台座３，４の底板２０，２１側に設けてもよい。
【００２８】
なお、本体２（収納箱１１）の台板５の背面寄りの上面には孔５ａが形成されており、本体２の内部にビデオデッキ等の電化製品が収納された場合には、電化製品から発生する熱を孔５ａに形成した通気孔５ｂから外部に放出するとともに、台板５の上部に置かれるテレビと本体２内の電化製品との配線を、孔５ａに形成した配線挿通孔５ｃを通じて行えるようになっている。
【００２９】
また、背板９は、図５に示すように、中央板９ａと左板９ｂ、右板９ｃによって構成されており、左板９ｂと、右板９ｃにはそれぞれ配線孔１２，１３が開口して設けられている。この配線孔１２，１３は、本体２（収納箱１１）に収納された電化製品の電源コードやアンテナ線や電話線を部屋に設けられた差込口へ接続する場合に、これら配線を挿通できるようにしたものである。
【００３０】
更に、中央板９ａには、上下方向に長い背面換気孔１４とコンセント１５が左右に位置して設けられている。背面換気孔１４には格子状板１４ａが取り外し可能に取り付けられており、前記孔５ａの通気孔５ｂと同様に電化製品から発生する熱を外部に放出できるようになっている。また、背面換気孔１４の格子状板１４ａを取り外すことにより、前記配線孔１２，１３と同様に電源コード等の配線が挿通できるようになっている。そして、このように背面換気孔１４の格子状板１４ａを取り外すことにより、多数本の配線ができるようになっている。
【００３１】
次に、台座３，４について説明する。
台座３，４は図１に示すように相互に分離して形成され、かつ、本体２とは別体に形成され、左右において対向するように配置されている。
【００３２】
一方の台座３は、その底板２０において、対向する他方の台座４と反対側の側面に側板２２が立設され、底板２０の背面側に背端板２４が立設されて、他の３面側が開口した空間Ｓ１が底板２０上に形成されている。この空間Ｓ１に、前記本体１の左半分が収納できるようになっている。
【００３３】
また、右側の台座４は、前記左側の台座３と左右対称に形成され、該右側の台座４においても、その底板２１に右側の側板２３と背板２５が立設されて、他の３面側が開口した空間Ｓ２が、前記台座３の空間Ｓ１と逆向きで、底板２１上に形成されている。この空間Ｓ２に本体２の右半分が収納できるようになっている。
【００３４】
また、左側の台座３における底板２０には上下に貫通する案内溝２０ａが形成されており、該案内溝２０ａは、台座４の底板２１と対面する底板２０の端面から、台座４と反対側の方向に向って形成されている。更に該案内溝２０ａは前記案内板６ａの左半分を挿入できる幅と長さに形成されている。そして、該案内溝２０ａに、前記案内板６ａの左半分を摺動可能に挿通することにより、その案内板６ａと案内溝２０ａによって、本体２と台座３が相対的に案内されて、図２に示す左右方向Ａ−Ｂに摺動できるようになっている。
【００３５】
また、前記右側の台座４においても、前記左側の台座３の案内溝２０ａと同様の案内溝２１ａが対称的に形成されている。そして、該案内溝２１ａに前記案内板６ａの右半分を摺動可能に挿通することにより、その案内板６ａと案内溝２１ａによって、本体２と台座４が相対的に案内されて、図２に示す左右方向Ａ−Ｂに摺動できるようになっている。
【００３６】
前記のように、一本の案内板６ａが案内溝２０ａと案内溝２１ａの双方に挿通して、台座３と台座４を案内することから、台座３と台座４と本体２が同一直線に沿った位置に配置され、かつ、摺動される。
【００３７】
また、左側の台座３における底板２０の上面には係止金具（案内部材）２６ａ，２６ｂが突設されている。該係止金具２６ａ，２６ｂは左右方向に２箇所、離間して配置され、この係止金具２６ａ，２６ｂを結ぶ直線は案内溝２０ａと平行に設定されている。更に、係止金具２６ａ，２６ｂは、前記本体２の係止金具用溝（案内溝）６ｂに遊嵌され、この係止金具用溝６ｂ内を左右方向Ａ−Ｂに摺動できるようになっている。したがって、左右方向に２箇所設けられている係止金具２６ａ，２６ｂが、一本の係止金具用溝６ｂ内を摺動することから、前記案内板６ａと同様に左右方向Ａ−Ｂの摺動を案内している。また、台座３が本体２と離間する方向Ａに所定量移動した際には、係止金具２６ａが係止金具用溝６ｂのストッパー６ｄに当接して、その移動を規制するようになっており、台座３から本体２の左端部が脱落することを防止している。この係止金具２６ａとストッパー６ｄで規制手段を構成している。
【００３８】
また、台座４の底板２１の上面にも、前記の係止金具２６ａ，２６ｂと同様の係止金具（案内部材）２７ａ，２７ｂが突設しており、前記と同様に係止金具用溝６ｂに遊嵌している。これにより、前記係止金具２６ａ，２６ｂと同様に左右方向Ａ−Ｂに台座４の摺動を案内するとともに、本体２と離間する方向Ｂに所定量移動した際には、係止金具２７ａが係止金具用溝６ｂの右側のストッパー６ｄに当接して、その移動を規制するようになっており、台座４から本体２の右端部が脱落することを防止している。
【００３９】
また、案内板６ａと案内溝２０ａ，２１ａによる移動により前記の相対的な摺動のブレを抑制することができる。
【００４０】
また、図６に示すように、両台座３，４の底板２０，２１における裏面の四隅には移動手段であるキャスター２８が設けられている。このキャスター２８は３６０度回転可能となっており、台座３，４が床面上において本体２の左右方向Ａ−Ｂに容易に移動できるようにしているとともに、家具１全体の前後及び左右方向への移動も可能とし、部屋内での配置変更が容易に行なえるようにしている。更に、台座３，４の底板２０，２１の裏面には、夫々の前方に位置して定着手段であるアジャスター２９が設けられており、家具１の設置位置が決定した際に、このアジャスター２９を床面まで下降させることにより、家具１が不用意に動かないように固定できるようになっている。
【００４１】
なお、図６において、３０は、前記案内溝２０ａ，２１ａの底面を閉塞する閉塞板を示す。
【００４２】
また、両台座３，４における背板２４，２５には切欠穴２４ａ，２５ａが形成されており、台座３，４が閉まっている状態、すなわち、台座３，４が互いに接している状態であっても、前記本体２の背板９に設けられた配線孔１２，１３と背面換気孔１４とコンセント１５が塞がれず、本体２の配線を妨げないようになっている。
【００４３】
次に本体２と両台座３，４の組立てと作用について説明する。
先ず、台座３，４を、これらの案内溝２０ａ，２１ａが一直線状に位置するよう対向させて直列に配置し、この台座３，４の上方から本体２を下降させて、案内板６ａを案内溝２０ａ，２１ａに挿通させるとともに、係止金具２６ａ，２６ｂ，２７ａ，２７ｂを係止金具用溝６ｂに挿通させて、本体２を両台座３，４の底板２０，２１上に載置して組み立てる。
【００４４】
この組立てた状態において、本体２を基準として台座３，４を本体２の中央方向へ押し移動させると、台座３，４の案内溝２０ａ，２１ａが本体２の案内板６ａに案内され、かつ、係止金具２６ａ，２６ｂ，２７ａ，２７ｂが係止金具用溝６ｂに案内されながら移動する。このとき、フェルト６ｃの介在によって本体２と台座３，４間の摩擦抵抗が小さく、また、キャスター２８の転動によって両台座３，４の移動が容易に行える。そして、両台座３，４を、その側板２２，２３が本体２の側板７，８に当接するまで移動すると、空間Ｓ１，Ｓ２がなくなり、家具１の左右方向長は最短状態となる。
【００４５】
また、前記の最短状態から、台座３，４を本体２に対して離間する方向に移動すると、前記と同様に、案内溝２０ａ，２１ａと案内板６ａ及び係止金具２６ａ，２６ｂ，２７ａ，２７ｂと係止金具用溝６ｂに案内され、かつ、フェルト６ｃとキャスター２８によって移動し、家具１が左右方向に伸長する。そして、台座３，４の係止金具２６ａ，２７ａが係止金具用溝６ｂのストッパー６ｄに衝突することで家具１は最大幅に位置決めされる。
【００４６】
なお、係止金具２６ａ，２７ａがストッパー６ｄに当接するまでの途中において台座３，４を任意の位置に配置することができ、その配置位置に応じて空間Ｓ１，Ｓ２の間口が変化し、その間口による収納空間が確保される。
【００４７】
また、左右の台座３，４は、本体２を基準としてそれぞれ独立して動くため、両台座３，４を共に同量移動してもよく、また単独で所望量動かしてもよい。
【００４８】
なお、両台座３，４を最内部へ移動した場合の家具１の左右方向の幅を１４００ｍｍに設定し、両台座３，４を最外部へ移動した場合の家具１の左右方向幅を２０００に設定した。そのため、この１４００ｍｍ〜２０００ｍｍの範囲で家具１の幅を任意に設定でき、この設定幅をアジャスター２９で固定することができる。
【００４９】
次に使用形態例について説明する。
まず、部屋における家具１の設置スペースが、本体２の左右方向の幅よりわずかに長い寸法だけの狭い場合には、図３に示すように、台座３，４を、その側板２２，２３が本体２に当接した状態にする。これにより、家具１の全幅は最小（１４００ｍｍ）に短縮し、狭い設置スペースへ家具１を配置することができる。
【００５０】
次に、設置スペースの間口が本体２より広く、本体２の例えば右側に台座を配置したい場合には、図４に示すように、台座４を本体２に対して右方向Ｂに移動させ、本体２の右側に台座４を配置させる。これにより、設置スペースを有効に利用することができるとともに、家具１と壁との間の空間をなくして、家具１の配置の見栄えを良くすることができる。更に、本体２の右側部の台座４で形成される空間Ｓ２により収納空間を形成できる。
【００５１】
次に、設置スペースの間口が本体２よりかなり広く、本体２の両側に台座３，４を配置したい場合には、図２に示すように、台座３，４の双方を本体２から離間する方向に移動させ、本体２の左右の設置スペースに両台座３，４を配置させる。これにより、家具１の全幅は最大（２０００ｍｍ）に伸長し、前記と同様に部屋の有効利用と、家具１の設置の見栄えを良くする。更に、本体２の左右側部の台座３，４で形成される空間Ｓ１，Ｓ２による広い収納空間を形成できる。
【００５２】
また、中央部に本体２を配置し、その両側に台座３，４を配置したことによって、中央に配置される本体２を箱形に形成して、その剛性を高めることができる。そのため、テレビのような、重い物を中央に載置する家具において、耐久性を高めることができる。
【００５３】
また、本体２の上部にテレビを設置する場合、昨今の薄型のテレビの形状は、脚部の上部に、該脚部よりも広い幅のディスプレイを持つ物が一般的である。そのため、本体２の左右幅がテレビの脚部を載置できる大きさであれば、そのテレビのディスプレイが本体２よりはみ出していたとしても、台座３，４を左右方向Ａ−Ｂに伸長させて家具１の左右幅を広げて、テレビと家具１との寸法を一致させることができる。
【００５４】
更に、テレビを買い換えた時には、通常、そのテレビの寸法に合わせて新たにテレビ台を購入しなければならないが、本発明では、台座３，４を移動させてその家具１の左右幅を変化させることにより、種々の寸法のテレビに対応することができる。
【００５５】
また、前記のように形成された収納空間Ｓ１，Ｓ２には、本やＤＶＤなどの日常良く使用する物を収納したり、飾り棚のように小物を飾るなどして利用できる他、テレビを本体２の上部に配置した場合には、収納空間Ｓ１，Ｓ２にホームシアターシステムのスピーカーを配置することもでき、用途に合わせて様々に使用することができる。なお、スピーカーを配置する場合、本体２の側板７，８に配線孔を開けて配線経路を確保してもよい。
【００５６】
以上のようであるから、本発明の家具１においては、部屋の設置スペースの状態や使用目的などに合わせて様々な使用形態に対応できる。
【００５７】
また、両台座３，４が本体２の載置部材と案内手段を構成するため、部品点数が少なく、簡単な構造で伸縮家具を形成できる。更に、伸縮に係る構造材や加工部等が、家具１の表面に現れないので、家具１の見栄えを良くすることができる。
【００５８】
なお、前記案内板６ａは両台座３，４側に設け、前記案内溝２０ａ，２１ａを本体２側に設けてもよい。更に、前記係止金具２６ａ，２６ｂ，２７ａ，２７ｂを本体２側に設け、前記係止金具用溝６ｂを両台座３，４側に設けてもよい。
【図面の簡単な説明】
【００５９】
【図１】本発明の実施例を示す家具の本体と台座を分離した斜視図。
【図２】図１の家具を組み立てて、左右の台座を開いた斜視図。
【図３】図２の状態から左右の台座を閉じた状態の斜視図。
【図４】図３の状態から右側の台座を開いた状態の斜視図。
【図５】図２の背面斜視図。
【図６】図３の底面図。
【図７】本発明の本体の底面図。
【図８】図２の横断面図。
【符号の説明】
【００６０】
１      家具
２      本体
３，４  台座
６ａ    案内部材（案内板）
６ｂ    案内溝（係止金具用溝）
６ｃ    フェルト（摺動手段）
６ｄ    規制手段（ストッパー）
２０，２１      底板
２０ａ，２１ａ  案内溝
２２，２３      側板
２６ａ，２６ｂ，２７ａ，２７ｂ  案内部材（係止金具）
２８    キャスター（移動手段）
２９    定着手段（アジャスター）
【図１】
2007301279.tif 000003
【図２】
2007301279.tif 000004
【図３】
2007301279.tif 000005
【図４】
2007301279.tif 000006
【図５】
2007301279.tif 000007
【図６】
2007301279.tif 000008
【図７】
2007301279.tif 000009
【図８】
2007301279.tif 000010